(57)【要約】【課題】従来、動画疑似輪郭を低減するディスプレイ装置は、例えば、メインパスからサブパスに切り替えたときの誤差拡散によるノイズが気になったり、階調変換テーブルとしてメモリを使用するためにハード構成が大きくなっていた。【解決手段】発光時間長によって輝度表現を行うと共に、サブフィールド法を用いて階調表示を行うディスプレイ装置であって、入力信号の階調数を圧縮して第１階調数の第１の中間画像信号ＡＡを出力するゲイン制御回路１１１と、前記第１の中間画像信号を受け取り、該第１の中間画像信号の階調数を再圧縮して第２階調数の第２の中間画像信号ＢＢを出力するサブゲイン制御回路１１３と、該第２の中間画像信号を受け取り、誤差拡散処理により階調数を疑似的に増加する誤差拡散回路１１２とを備えるように構成する。【選択図】      図８
2005024690.tif 000002
【特許請求の範囲】
【請求項１】
発光時間長によって輝度表現を行うと共に、サブフィールド法を用いて階調表示を行うディスプレイ装置であって、
入力信号の階調数を圧縮して第１階調数の第１の中間画像信号を出力するゲイン制御回路と、
前記第１の中間画像信号を受け取り、該第１の中間画像信号の階調数を再圧縮して第２階調数の第２の中間画像信号を出力するサブゲイン制御回路と、
該第２の中間画像信号を受け取り、誤差拡散処理により階調数を疑似的に増加する誤差拡散回路とを備えることを特徴とするディスプレイ装置。
【請求項２】
請求項１に記載のディスプレイ装置において、さらに、
階調数が前記第１階調数となるように、１フィールドを複数のサブフィールドで構成した第１のサブフィールド配列設定手段と、
階調数が前記第１階調数よりも小さい前記第２階調数となるように、１フィールドを複数のサブフィールドで構成した第２のサブフィールド配列設定手段とを備えることを特徴とするディスプレイ装置。
【請求項３】
請求項２に記載のディスプレイ装置において、前記第２のサブフィールド配列設定手段は、低階調を除く任意の階調を表示するときに発光させるサブフィールドのうち、最も重いサブフィールドを少なくとも他の１つのサブフィールドと共に点灯させることを特徴とするディスプレイ装置。
【請求項４】
請求項２に記載のディスプレイ装置において、前記第１のサブフィールド配列設定手段は、前記第１階調数ｍとなる複数のサブフィールドの配列を設定し、且つ、前記第２のサブフィールド配列設定手段は、前記第２階調数ｎとなる複数のサブフィールドの配列を設定する（ここで、ｍ，ｎは自然数、ｎ＜ｍ）ことを特徴とするディスプレイ装置。
【請求項５】
請求項４に記載のディスプレイ装置において、前記サブゲイン制御回路は、（ｎ−１）／（ｍ−１）を乗算して前記第１階調数の前記第１の中間画像信号を圧縮し、前記第２階調数の前記第２の中間画像信号を生成することを特徴とするディスプレイ装置。
【請求項６】
請求項５に記載のディスプレイ装置において、前記サブゲイン制御回路は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイ装置。
【請求項７】
第１階調数の入力画像信号から該第１階調数よりも少ない第２階調数の第１画像信号を生成するメインパスと、
前記第２階調数よりも少ない第３階調数の第２画像信号を生成するサブパスと、
前記メインパスで生成された第１画像信号と前記サブパスで生成された第２画像信号とを切り替えて出力するスイッチ回路と、
前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイ装置であって、前記メインパスは、
前記第１階調数の前記入力画像信号を受け取って、第４階調数の第１の中間画像信号を出力するゲイン制御回路と、
前記第１の中間画像信号を受け取って、前記第２階調数の第２の中間画像信号を出力するサブゲイン制御回路と、
該サブゲイン制御回路の出力信号を受け取り、誤差拡散を行って前記第１画像信号を出力する誤差拡散回路とを備えることを特徴とするディスプレイ装置。
【請求項８】
請求項７に記載のディスプレイ装置において、さらに、
階調数が前記第４階調数となるように、１フィールドを複数のサブフィールドで構成した第１のサブフィールド配列設定手段と、
階調数が前記第４階調数よりも小さい前記第２階調数となるように、１フィールドを複数のサブフィールドで構成した第２のサブフィールド配列設定手段とを備えることを特徴とするディスプレイ装置。
【請求項９】
請求項８に記載のディスプレイ装置において、前記第２のサブフィールド配列設定手段は、低階調を除く任意の階調を表示するときに発光させるサブフィールドのうち、最も重いサブフィールドを少なくとも他の１つのサブフィールドと共に点灯させることを特徴とするディスプレイ装置。
【請求項１０】
請求項８に記載のディスプレイ装置において、前記第１のサブフィールド配列設定手段は、前記第４階調数ｍとなる複数のサブフィールドの配列を設定し、且つ、前記第２のサブフィールド配列設定手段は、前記第２階調数ｎとなる複数のサブフィールドの配列を設定する（ここで、ｍ，ｎは自然数、ｎ＜ｍ）ことを特徴とするディスプレイ装置。
【請求項１１】
請求項１０に記載のディスプレイ装置において、前記サブゲイン制御回路は、（ｎ−１）／（ｍ−１）を乗算して前記第４階調数の前記第１の中間画像信号を圧縮し、前記第２階調数の前記第２の中間画像信号を生成することを特徴とするディスプレイ装置。
【請求項１２】
請求項１１に記載のディスプレイ装置において、前記サブゲイン制御回路は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイ装置。
【請求項１３】
発光時間長によって輝度表現を行うと共に、サブフィールド法を用いて階調表示を行うディスプレイの駆動方法であって、
入力画像信号の階調数を圧縮して第１階調数の第１の中間画像信号を生成し、
該第１の中間画像信号の階調数を再圧縮して第２階調数の第２の中間画像信号を生成し、
該第２の中間画像信号を誤差拡散処理して出力画像信号を生成することを特徴とするディスプレイの駆動方法。
【請求項１４】
請求項１３に記載のディスプレイの駆動方法において、さらに、
第１のサブフィールド配列設定において、階調数が前記第１階調数となるように、１フィールドを複数のサブフィールドで構成し、且つ、
第２のサブフィールド配列設定において、階調数が前記第１階調数よりも小さい前記第２階調数となるように、１フィールドを複数のサブフィールドで構成することを特徴とするディスプレイの駆動方法。
【請求項１５】
請求項１４に記載のディスプレイの駆動方法において、前記第１のサブフィールド配列設定は、前記第１階調数ｍとなる複数のサブフィールドの配列を設定し、且つ、前記第２のサブフィールド配列設定は、前記第２階調数ｎとなる複数のサブフィールドの配列を設定する（ここで、ｍ，ｎは自然数、ｎ＜ｍ）ことを特徴とするディスプレイの駆動方法。
【請求項１６】
請求項１５に記載のディスプレイの駆動方法において、前記第１の中間画像信号の階調数を再圧縮して行う前記第２の中間画像信号の生成は、該第１の中間画像信号に対して（ｎ−１）／（ｍ−１）を乗算することを特徴とするディスプレイの駆動方法。
【請求項１７】
請求項１６に記載のディスプレイの駆動方法において、前記第１の中間画像信号の階調数を再圧縮して行う前記第２の中間画像信号の生成は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイの駆動方法。
【請求項１８】
第１階調数の入力画像信号から該第１階調数よりも少ない第２階調数の第１画像信号を生成するメインパスと、
前記第２階調数よりも少ない第３階調数の第２画像信号を生成するサブパスと、
前記メインパスで生成された第１画像信号と前記サブパスで生成された第２画像信号とを切り替えて出力するスイッチ回路と、
前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイの駆動方法であって、前記メインパスにおいて、
前記第１階調数の入力画像信号に対して第１の演算を行って圧縮し、該第１階調数よりも少ない第４階調数の第１の中間画像信号を生成し、
該第１の中間画像信号に対して第２の演算を行って再圧縮し、前記第４階調数よりも少ない前記第２階調数の第２の中間画像信号を出力し、
該第２の中間画像信号に対して誤差拡散処理を行って前記第１画像信号を生成することを特徴とするディスプレイの駆動方法。
【請求項１９】
請求項１８に記載のディスプレイの駆動方法において、さらに、
第１のサブフィールド配列設定において、階調数が前記第４階調数となるように、１フィールドを複数のサブフィールドで構成し、且つ、
第２のサブフィールド配列設定において、階調数が前記第４階調数よりも小さい前記第２階調数となるように、１フィールドを複数のサブフィールドで構成することを特徴とするディスプレイの駆動方法。
【請求項２０】
請求項１９に記載のディスプレイの駆動方法において、前記第１のサブフィールド配列設定は、前記第４階調数ｍとなる複数のサブフィールドの配列を設定し、且つ、前記第２のサブフィールド配列設定は、前記第２階調数ｎとなる複数のサブフィールドの配列を設定する（ここで、ｍ，ｎは自然数、ｎ＜ｍ）ことを特徴とするディスプレイの駆動方法。
【請求項２１】
請求項２０に記載のディスプレイの駆動方法において、前記第１の中間画像信号の階調数を再圧縮して行う前記第２の中間画像信号の生成は、該第１の中間画像信号に対して（ｎ−１）／（ｍ−１）を乗算することを特徴とするディスプレイの駆動方法。
【請求項２２】
請求項２１に記載のディスプレイの駆動方法において、前記第１の中間画像信号の階調数を再圧縮して行う前記第２の中間画像信号の生成は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイの駆動方法。
【発明の詳細な説明】
【０００１】
【発明の属する技術分野】
本発明は、ディスプレイ装置およびディスプレイの駆動方法に関し、特に、プラズマディスプレイパネル（ＰＤＰ：Ｐｌａｓｍａ  Ｄｉｓｐｌａｙ  Ｐａｎｅｌ）を駆動するのに適したディスプレイ装置およびディスプレイの駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Ｄｉｇｉｔａｌ  Ｍｉｃｒｏｍｉｒｒｏｒ  Ｄｅｖｉｃｅ）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスとして実用化に至っている。
【０００３】
プラズマディスプレイ装置は、各フィールド（フレーム）内に複数の維持放電パルス（サステインパルス）で構成される重み付けされた複数のサブフィールド（ＳＦ：発光ブロック）を設け、そのサブフィールドの組み合わせで中間調を表示している。このような、重み付けされた複数のサブフィールドの組み合わせで中間調を表示するディスプレイ装置においては、人間の目の残像効果等により、移動する物体の表面上に本来は存在しないはずの不自然な色の輪郭が発生する現象が生じる。この現象は、一般に、「動画疑似輪郭（動画偽輪郭或いは動画擬似輪郭）」と呼ばれ、特に、表示画像において人物が移動した場合、例えば、肌色である顔の輪郭部分に緑色や赤色の帯が生じて画質が著しく低下することになっている。そこで、大きなコスト増を招くことなく、動画疑似輪郭を有効に除去することのできるディスプレイ装置およびディスプレイの駆動方法の提供が強く要望されている。
【０００４】
【従来の技術】
従来、平面型の表示装置として面放電を行うプラズマディスプレイ装置が実用化され、画面上の全画素を表示データに応じて同時に発光させるようになっている。面放電を行うプラズマディスプレイ装置は、前面ガラス基板の内面に１対の電極が形成され、内部に希ガスが封入された構造となっている。電極間に電圧を印加すると、電極面上に形成された誘電体層および保護層の表面で面放電が起こり、紫外線が発生する。背面ガラス基板の内面には、３原色である赤色（Ｒ）、緑色（Ｇ）および青色（Ｂ）の蛍光体が塗布されており、紫外線によりこれらの蛍光体を励起発光させることによってカラー表示を行うようになっている。
【０００５】
図１はプラズマディスプレイ装置の一例を概略的に示すブロック図である。図１において、参照符号１は画像処理回路、２は点灯時刻制御回路、３はＰＤＰ駆動回路、そして、４はＰＤＰを示している。なお、図１では、便宜上、ＰＤＰ４がＰＤＰ駆動回路３内に図示されている。
【０００６】
図１に示されるように、プラズマディスプレイ装置は、Ｒ，Ｇ，Ｂの各色の画像信号を処理する画像処理回路１、画像処理回路１の出力信号に応じてＰＤＰ４で点灯する時刻を制御する点灯時刻制御回路２、点灯時刻制御回路２の出力に応じてＰＤＰ４を駆動するＰＤＰ駆動回路３を備えている。ＰＤＰ駆動回路３は、フィールドメモリ３１、メモリコントローラ３２、ＳＦ重みテーブル３３、ＳＵＳ数設定回路３４、コントローラ３５、スキャンドライバ３６、サステインドライバ３７およびアドレスドライバ３８を備える。ここで、ＳＦ重みテーブル３３は、各サブフィールドのＳＵＳ数の比（重み）を記憶しているメモリ装置であり、また、ＳＵＳ数設定回路３４は、ＳＦ重みテーブル３３に従って各ＳＦに発光させるＳＵＳ数を設定する回路である。
【０００７】
点灯時刻制御回路２は、画像処理回路１の出力信号を受け取り、どの階調をどの時刻のサブフィールドで点灯するかを示す被変換データに変換してＰＤＰ駆動回路３に供給する。フィールドメモリ３１は、メモリコントローラ３２の制御下で点灯時刻制御回路２からの被変換データの書き込みおよび読み出しを行う。ここで、点灯時刻制御回路２およびフィールドメモリ３１は、サブフィールド変換部を構成している。
【０００８】
アドレスドライバ３８は、フィールドメモリ３１から読み出されたデータに基づいてＰＤＰ４を駆動する。コントローラ３５は、ＳＵＳ数設定回路３４を介したＳＦ重みテーブル３３の出力を受け取り、スキャンドライバ３６およびサステインドライバ３７を制御してＰＤＰ４の駆動を制御する。ＰＤＰ４がスキャンドライバ３６およびアドレスドライバ３８で駆動されることにより、各サブフィールド内で発光する画素に対する壁電荷が形成され、また、サステインドライバ３７で駆動されることにより、維持放電（サステイン放電）が行われる。
【０００９】
図２は従来のプラズマディスプレイ装置における階調駆動シーケンスの一例を示す図である。
【００１０】
図２に示されるように、プラズマディスプレイ装置における階調駆動シーケンスは、例えば、１枚の画像を表示する１フィールドを複数のサブフィールド（例えば、ＳＦ１〜ＳＦ６）に分け、各サブフィールドにおけるサステイン期間（発光期間）を制御することにより画像の階調表示を行う。各サブフィールドは、そのサブフィールド期間内に発光させる全画素に対して壁電荷を形成させるアドレス期間と、輝度レベルを決定するサステイン期間とから構成される。そのため、サブフィールド数を増やすとその数分だけアドレス期間が必要となり、相対的に発光に割り当てられるサステイン期間が短くなり、画面の輝度が低下することになる。
【００１１】
ＰＤＰにおいて限られたサブフィールド数を用いて表現可能な階調数を稼ぐためには、図２に示されるように、ビットの重み付けに比例したサステイン期間でＰＤＰを階調駆動するのが一般的である。すなわち、図２に示す例では、１フィールド期間を６つのサブフィールド期間ＳＦ１〜ＳＦ６で構成し、各サブフィールドに対応した６ビットの画像信号（画素データ）により６４階調の表示を行う。サブフィールド期間ＳＦ１〜ＳＦ６内のサステイン期間は便宜上それぞれ点灯するものとしてハッチングで示され、時間（長さ）の比率はＳＦ１：ＳＦ２：ＳＦ３：ＳＦ４：ＳＦ５：ＳＦ６が１：２：４：８：１６：３２に設定されている。尚、１フィールド期間は約１６．７ｍｓである。
【００１２】
このような、階調駆動シーケンスを用いるＰＤＰで動画像を表示する場合、人間の目の残像効果等により、移動する物体の表面上に本来は存在しないはずの不自然な色の輪郭が発生する現象が生じる。この現象により発生する輪郭を、一般に、「動画疑似輪郭」と呼ぶが、この動画疑似輪郭が特に顕著になるのは、画面上の人物が動いた場合であり、例えば、肌色である顔の輪郭部分に緑色や赤色の帯が生じて画質が著しく低下することになっている。
【００１３】
従来、上述した動画疑似輪郭を低減して画質を向上させるものが提案されている（例えば、特許文献１および特許文献２参照）。
【００１４】
図３は従来のプラズマディスプレイ装置における画像処理回路の一例を示すブロック図であり、例えば、上述した図１に示すプラズマディスプレイ装置の画像処理回路１として適用される。
【００１５】
図３に示されるように、画像処理回路１は、概略、メインパス１１、サブパス１２、スイッチ回路１３、および、画像特徴判定部１４を備えている。入力画像信号は、メインパス１１、サブパス１２および画像特徴判定部１４の一部に並列に入力される。メインパス１１の出力は、スイッチ回路１３に供給されると共に、画像特徴判定部１４の一部に供給される。サブパス１２の出力は、スイッチ回路１３に供給される。スイッチ回路１３は、画像特徴判定部１４からのパス選択／切り替え信号に基づいて、メインパス１１またはサブパス１２からの画像信号を図１に示す点灯時刻制御回路２に供給する。
【００１６】
メインパス１１は、入力画像信号が供給されたゲイン制御回路１１１およびゲイン制御回路１１１の出力信号が供給された誤差拡散回路１１２を備える。また、サブパス１２は、入力画像信号が供給された歪み補正回路１２１、歪み補正回路１２１の出力信号が供給されたゲイン制御回路１２２、ゲイン制御回路１２２の出力信号が供給された誤差拡散回路１２３、および、誤差拡散回路１２３の出力信号が供給されたデータ整合回路１２４を備える。
【００１７】
画像特徴判定部１４は、入力画像信号が供給されたＲＧＢマトリクス回路１４１、ＲＧＢマトリクス回路１４１の出力信号が供給されたエッジ検出回路１４２および動き領域検出回路１４３、エッジ検出回路１４２および動き領域検出回路１４３の各出力信号が供給された第１の判定回路１４４、上記メインパスの出力信号が供給されたレベル検出回路１４５、並びに、第１の判定回路１４４およびレベル検出回路１４５の各出力信号が供給された第２の判定回路１４６を備えている。ここで、例えば、１フィールドが８個のサブフィールドから構成されており、各サブフィールド期間中のサステインパルス数の比率をＳＦ１：ＳＦ２：ＳＦ３：ＳＦ４：ＳＦ５：ＳＦ６：ＳＦ７：ＳＦ８＝１２：８：４：２：１：４：８：１２とすると、メインパス１１は、ＲＧＢ信号のそれぞれに対して６ビット出力で５２の実表示階調数を表現し、各色あたりの表示階調は、レベル０〜５１までの５２階調となっている。
【００１８】
図３に示す画像処理回路では、画像の動き検出およびエッジ検出をそれぞれＲＧＢの３系統で独立して行うのではなく、ＲＧＢマトリクス回路１４１において各ＲＧＢ信号から輝度信号を生成し、この生成された輝度信号により、画像のエッジ部分の検出をエッジ検出回路１４２で行うと共に、画像の動き領域の検出を動き領域検出回路１４３で行って、回路規模を削減するようになっている。なお、輝度信号Ｙは、例えばＹ＝０．３０Ｒ＋０．５９Ｇ＋０．１１Ｂに近似した生成式を用いて生成することができる。
【００１９】
ところで、メインパス１１を介してＰＤＰ４上に表示できる最高輝度レベルは、６ビット出力で５１であり、一方、入力画像信号の最高輝度レベルは、８ビット入力で２５５である。そのため、ゲイン制御回路１１１は、入力画像信号にゲイン係数５１×２８−６  ／２５５＝２０４／２５５を乗算する。このゲイン係数の乗算により、後段の誤差拡散回路１１２において、入力画像信号の全域にわたって誤差拡散処理を行うことができる。なお、ゲイン制御回路１１１は、一般的な乗算器やＲＯＭ、ＲＡＭ等で構成することができる。
【００２０】
誤差拡散回路１１２は、ゲイン制御回路１１１を介して得られる画像信号に対して誤差拡散を行うことにより、疑似的に中間調を生成して階調数を増加する。なお、メインパス１１の表示階調数は５２であるため、誤差拡散回路１１２の出力ビット数は６となっている。
【００２１】
サブパス１２は、４ビット出力で９の実表示階調数を表現し、このとき、ＲＧＢの各色あたりの表示階調は、レベル０〜８までの９階調である。
【００２２】
サブパス１２においては、０〜８までの９ステップの階調を表現可能であるが、輝度量は０，１，３，７，１１，…といった具合に、均等には増加しない。そこで、誤差拡散後の表示特性と逆関数の補正を行い、全体としては線形の表示特性を得る必要があるため、歪み補正回路１２１では、このような逆関数特性をＲＯＭまたはＲＡＭテーブルに格納している。
【００２３】
図４はプラズマディスプレイ装置における階調駆動シーケンスの他の例を示す図であり、図５はメインパスにおける各輝度レベルの点灯サブフィールド期間の配置の一例を示す図であり、そして、図６はサブパスにおける各輝度レベルの点灯サブフィールド期間の配置の一例を示す図である。
【００２４】
上述したように、１フィールドを８個のサブフィールドＳＦ１〜ＳＦ８で構成し、サステインパルス数の比率（輝度レベルの比）をＳＦ１：ＳＦ２：ＳＦ３：ＳＦ４：ＳＦ５：ＳＦ６：ＳＦ７：ＳＦ８＝１２：８：４：２：１：４：８：１２とすると、階調駆動シーケンスは図４のようになる。
【００２５】
このとき、メインパス１１では、入力画像信号を５２の実表示階調レベルで表示可能であり、各輝度レベルの点灯サブフィールド期間の配置は、図５にハッチングで示すようになる。また、サブパス１２では、入力画像信号を９の実表示階調レベルで表示し、各輝度レベルの点灯サブフィールド期間の配置は図６に示すようになる。なお、入力画像信号は、サブパス１２における処理を行ったままでは非線形な表示特性となってしまうので、非線形特性を補正するための逆関数補正および誤差拡散を行うことにより、非線形表示特性を線形表示特性に補正する。
【００２６】
サブパス１２を介してＰＤＰ４上に表示できる最高輝度レベルは、４ビット出力で８であり、また、入力画像信号の最高輝度レベルは、８ビット入力で２５５である。そのため、ゲイン制御回路１２２は、入力画像信号にゲイン係数８×２８−４  ／２５５＝１２８／２５５を乗算する。このゲイン係数の乗算により、後段の誤差拡散回路１２３において、入力画像信号の全域にわたって誤差拡散処理を行うことができる。なお、ゲイン制御回路１２２は、一般的な乗算器やＲＯＭ、ＲＡＭ等で構成することができる。
【００２７】
誤差拡散回路１２３は、ゲイン制御回路１２２を介して得られる画像信号に対して誤差拡散を行うことにより、疑似的に中間調を生成して階調数を増加する。ここで、サブパス１２の表示階調数は９であるため、誤差拡散回路１２３の出力ビット数は４である。なお、データ整合回路１２４は、サブパス１２における輝度レベルを、メインパス１１における輝度レベルに整合させるために設けられている。
【００２８】
スイッチ回路１３は、画像特徴判定部１４からのパス選択／切り替え信号に基づいて、入力画像信号に応じて使用するパスを切り替える。従って、入力画像信号を構成するＲＧＢ信号に対しては、Ｒ，Ｇ，Ｂの各色でそれぞれ独立してパスの切り替えが行われる。そのため、同一画素に関するＲＧＢ信号であっても、例えばＲ、信号はメインパス１１で処理され、Ｇ信号およびＢ信号が共にサブパス１２で処理されるといった場合もある。
【００２９】
次に、画像特徴判定部１４の動作について説明する。画像特徴判定部１４は、動画疑似輪郭の発生しやすい画像を検出し、そのような画像を構成する画素のデータをサブパス１２により処理するようにスイッチ回路１３にパスの切り替えを指示するパス選択／切り替え信号を生成出力する。
【００３０】
動画疑似輪郭は、上述のように、特定の輝度で発生し易く、階調は微小にしか変化していないにも関わらず、点灯サブフィールド期間が時間軸上で大きく変動するような輝度レベルで動画疑似輪郭が発生し易い。そこで、レベル検出回路１４５は、メインパス１１の誤差拡散回路１１２の出力に基づいて、第１の判定回路１４４の出力するパス選択／切り替え信号によりパスをサブパス１２に切り替える感度を制御する信号を第２の判定回路１４６に出力する。具体的には、レベル検出回路１４５は、動画疑似輪郭の目立ちやすい輝度レベルにおいてはサブパス１２に切り替える感度を高める信号を出力し、画像がかなり動く部分を有しても、元々動画疑似輪郭が検知されにくい輝度レベルにおいては、サブパス１２に切り替える感度を低くする信号を第２の判定回路１４６に出力する。
【００３１】
ここで、レベル検出回路１４５がメインパス１１からの出力画像データを用いて輝度レベルを検出するのは、メインパス１１における点灯サブフィールド期間の配置によって動画疑似輪郭の目立ちやすい輝度レベルが略決定されるからである。画像中の高周波成分の多い部分、すなわち、エッジ部分では、微小に移動した領域でもフィールド間の差分が検出されるので、動き量が不必要に大きく検出されてしまう。そこで、エッジ検出回路１４２は、入力画像信号に基づいて、画像中のエッジ部分を検出して第１の判定回路１４４に供給する。これにより、第１の判定回路１４４は、差分をエッジ成分で除算して動き量、すなわち、動きの度合いを正規化する。この結果、エッジ部分の動き量が抑さえられ、第１の判定回路１４４は、エッジ部分がメインパス１１では処理されないようにパス選択／切り替え信号を生成出力する。
【００３２】
また、動画疑似輪郭は、階調が滑らかに或いは緩やかに変化する部分で顕著となるため、画像中高周波成分の多い部分では検知されにくい。このような特性も、パスの切り替えの判定に重要であるため、エッジ検出回路１４２は、入力画像信号に基づいて、第２の判定回路１４６の出力するパス選択／切り替え信号によりパスをサブパス１２に切り替える感度を制御する信号を第１の判定回路１４４に出力する。具体的には、階調変化が滑らかな低周波領域がサブパス１２により処理されやすいように、換言すると、エッジ部分がメインパス１１により処理されやすいように、パスをサブパス１２に切り替える感度が制御される。
【００３３】
動き領域検出回路１４３は、輝度信号から求めた１フィールド間の差分と２フィールド間の差分の最小値に基づいて、画像中の動きを含む領域を検出し、検出結果を第１の判定回路１４４に供給する。また、エッジ検出回路１４２は、輝度信号から水平方向のエッジ（横線）および垂直方向のエッジ（縦線）を算出し、これらのエッジを混合してエッジ量を求める。求められたエッジ量は、第１の判定回路１４４に供給される。従って、第１の判定回路１４４は、動き領域検出回路１４３およびエッジ検出回路１４２の出力情報に基づいて、動画疑似輪郭の発生しやすい画素を判定し、その判定結果を第２の判定回路１４５に供給する。
【００３４】
レベル検出回路１４５は、メインパス１１からのＲＧＢ信号の各々に基づいて輝度レベルを検出する。レベル検出回路１４５で検出された輝度レベルは、第２の判定回路１４６に供給される。従って、第２の判定回路１４６は、第１の判定回路１４４からの判定結果およびレベル検出回路１４５で検出された輝度レベルに基づいて、所定レベル以上となった画素のデータがサブパス１２で処理されるようにパスを切り替えるパス選択／切り替え信号を生成してスイッチ回路１３に供給する。レベル検出回路１４５および第２の判定回路１４６は、レベル判定部を構成する。
【００３５】
これにより、通常はある程度の階調数が確保されたメインパス１１により入力画像信号が処理され、動画疑似輪郭の発生しやすい画素のデータについてのみ入力画像信号をサブパス１２で処理するようにパスを自動的に切り替える。このため、入力画像信号は、通常はＳ／Ｎ比が非常に良好でＰＤＰの実表示階調数の多いメインパス１１により処理されてからＰＤＰ４上で表示され、動画疑似輪郭が発生する可能性の高い画像部分では多少Ｓ／Ｎ比が低下するものの動画疑似輪郭除去能力が非常に高いサブパス１２により処理されてからＰＤＰ４上で表示される。この場合、メインパス１１における点灯サブフィールド期間とサブパス１２における点灯サブフィールド期間とは、互いに近い関係にあるため、パスの切り替わり部分（境界）は殆ど目立たない。
【００３６】
図７は図３の画像処理回路における画像特徴判定部の一例を示すブロック図である。
【００３７】
図７に示されるように、エッジ検出回路１４２は、１Ｈ遅延回路１４２１，１４２２、遅延回路１４２３、減算回路１４２４，１４２５、絶対値回路１４２６，１４２７、最大値検出回路１４２８，１４２９、乗算回路１４７０，１４７１，１４７３、および、加算回路１４７２を備える。また、動き領域検出回路１４３は、１Ｖ遅延回路１４３１，１４３２、減算回路１４３３，１４３４、絶対値回路１４３５，１４３６、および、最小値検出回路１４３７を備える。ここで、１Ｈは入力画像信号の１水平走査期間を示し、また、１Ｖは入力画像信号の１垂直走査期間を示す。
【００３８】
第１の判定回路１４４は、除算回路１４４１を備え、孤立点除去回路１４４２、テンポラルフィルタ１４４３および２次元ローパスフィルタ（ＬＰＦ）１４４４が除算回路１４４１の出力側に接続されている。さらに、レベル検出部１４５は、感度ＲＡＭ１４５１、乗算回路１４５２、および、比較器１４５３を備える。
【００３９】
エッジ検出回路１４２において、減算回路１４２４は、現在の入力輝度信号Ｙと２Ｈ前の入力輝度信号Ｙとの差分を求め、また、絶対値回路１４２６は、減算回路１４２４からの差分の絶対値を求める。最大値検出回路１４２８は、絶対値回路１４２６で求められた絶対値のうち、例えば、最も大きい３つの絶対値を検出して乗算回路１４７０に出力する。乗算回路１４７０には、水平方向に延在する横エッジを検出する感度を決定する係数が入力されており、乗算回路１４７０の出力は加算回路１４７２に出力される。
【００４０】
遅延回路１４２３は、入力輝度信号Ｙを画素単位（Ｄ）で遅延し、また、減算回路１４２５は、入力画像信号の画素間の差分を求める。絶対値回路１４２７は、減算回路１４２５からの差分の絶対値を求め、また、最大値検出回路１４２９は、絶対値回路１４２７で求められた絶対値のうち、例えば、最も大きい３つの絶対値を検出して乗算回路１４７１に出力する。乗算回路１４７１には、垂直方向に延在する縦エッジを検出する感度を決定する係数が入力されており、乗算回路１４７１の出力は加算回路１４７２に出力される。加算回路１４７２の出力は乗算回路１４７３に供給され、全体としてのエッジ感度を決定する係数を乗算される。これにより、乗算回路１４７３は、エッジ量を示す信号を出力して除算回路１４４１に供給する。
【００４１】
動き領域検出回路１４３において、減算回路１４３３は、入力輝度信号Ｙの隣り合う２フィールド期間の差分を求めて絶対値回路１４３５に出力し、また、減算回路１４３４は、入力輝度信号Ｙの隣り合う２フレーム期間の差分を求めて絶対値回路１４３６に出力する。従って、絶対値回路１４３５は、現在のフィールド期間と１フィールド期間前の入力輝度信号Ｙの差分の絶対値を求めて最小値検出回路１４３７に出力する。
【００４２】
絶対値回路１４３６は、現在のフィールド期間と２フィールド期間前の入力輝度信号Ｙの差分の絶対値を求めて最小値検出回路１４３７に出力し、また、最小値検出回路１４３７は、絶対値回路１４３５，１４３６からの絶対値のうち、最小値を、動き量を示す信号として除算回路１４４１に供給する。ノンインターレイス方式を採用する場合、奇数番目のフィールド期間とその次の偶数番目のフィールド期間とでは、実際には画像中に動きがないにも関わらず差分が検出されてしまう可能性がある。そこで、差分は、現在のフィールド期間の入力輝度信号Ｙと１フィールド期間前および２フィールド期間前の入力輝度信号Ｙとのそれぞれについて求め、その絶対値の最小値から動き量を求めるようにしている。
【００４３】
なお、絶対値回路１４３５，１４３６から得られる差分の絶対値の単位は、例えば、レベル／フィールドであり、最小値回路１４３７から得られる動き量の単位は、例えば、ドット／フィールドである。ここで、動き量は、動き量（ドット／フィールド）＝｛（｜差分（最小値）（レベル／フィールド）｜｝÷｛｜傾き（レベル／ドット）｜｝で表される。
【００４４】
除算回路１４４１は、最小値検出回路１４３７から得られる動き量を乗算回路１４７３から得られるエッジ量で除算することにより、画像中の動きの度合い、すなわち、動き量を正規化する。除算回路１４４１からの正規化された動き量は、孤立点除去回路１４４２、テンポラルフィルタ１４４３および２次元ＬＰＦ１４４４を介してレベル検出部１４５の乗算回路１４５２に供給される。
【００４５】
孤立点除去回路１４４２は、ノイズ等の孤立した画像データを除去するために設けられている。例えば、画像中の所定範囲内において、周囲の画素が動きを示していないのに中心部の１画素だけが動いていれば、この１画素はノイズと見なすことができ、従って、このような場合には、孤立点除去回路１４４２で孤立点を除去する。具体的には、孤立点は、各ラインの画素の動き量をしきい値と比較し、しきい値以下の動き量の画素については動きがない画素とみなすことで除去可能である。
【００４６】
テンポラルフィルタ１４４３は、動きを示す画素のデータのレベルの立ち下がりを時間軸上緩やかに補正するために設けられている。例えば、画像中、特定の画素が動いていて急に止ると、画像データとしてはこの特定画素が止っているが、人間の目には残像効果等で直ちに止って見えない。そこで、テンポラルフィルタ１４４３は、動きを示す画素のデータのレベルの立ち下がりを時間軸上緩やかに補正することで、ＰＤＰ４上の画像の表示を人間の目の特性に合わせて違和感を少なくする。具体的には、テンポラルフィルタ１４４３は、孤立点除去回路１４４２から得られる動き量および後述するメモリから読み出した値のうち最大値を求め、最大値に１未満の係数を乗算してメモリに格納する。求められた最大値は、テンポラルフィルタ１４４３の出力として２次元ＬＰＦ１４４４に供給される。つまり、メモリに格納される動き量は、少しずつ減少するので、実際の動き量がゼロになってもテンポラルフィルタ１４４３から出力される動き量は緩やかに減少する。
【００４７】
２次元ＬＰＦ１４４４は、１つの画素のデータを、その周辺の画素のデータに基づいて補正することで、ある範囲内の画素のデータを平均化して、１つの画素だけがその周辺の画素と極端に異なるレベルとなることを防止する。つまり、２次元ＬＰＦ１４４４は、動き量を２次元空間的に補正する。このような２次元ＬＰＦ１４４４自体は周知である。
【００４８】
レベル検出部１４５は、感度ＲＡＭ１４５１と乗算回路１４５２と比較器１４５３とからなる検出回路部分を、ＲＧＢの各系に対して有し、従って、この検出回路部分が３つ設けられることになる。例えば、Ｒ系のメインパス１１からの出力はＲ系の検出回路部分内の感度ＲＡＭ１４５１に供給され、２次元ＬＰＦ１４４４からの動き量には乗算回路１４５２により感度ＲＡＭ１４５１から読み出された係数が乗算されて比較器１４５３に供給される。比較器１４５３は、乗算回路１４５２からの動き量としきい値とを比較して、乗算回路１４５２からの動き量がしきい値以上であれば、Ｒ系のパスをサブパス１２に切り替えるためのパス選択／切り替え信号を出力する。他のＧ系およびＢ系の検出回路部分も、同様にして対応するＧ系およびＢ系のメインパス１１からの独立した出力に基づいてＧ系およびＢ系のパスの切り替えを指示するパス選択／切り替え信号を出力する。
【００４９】
そのため、通常は、ＲＧＢの各系において、比較的階調数の多いメインパス１１により入力画像信号（ＲＧＢ信号）が処理されるが、動画疑似輪郭の発生しやすい画素のデータは、ＲＧＢの各系において、パスをサブパス１２に自動的に切り替えることにより、サブパス１２により処理される。このようにしてサブパス１２により処理された画素データが示す画像は、原理的には、メインパス１１により処理された画素データが示す画像と比較するとＳ／Ｎ比が多少劣化しているが、サブパス１２により処理された画素データが示す画像は動いている画像部分であるため、人間の目にはＳ／Ｎ比の劣化が殆ど気にならず、実用上は問題がない。この場合、メインパス１１およびサブパス１２の各部の演算パラメータは、画素データをサブパス１２で処理することによるＳ／Ｎ比の劣化が人間の目に目立たないように設定される。また、当然のことながら、メインパス１１およびサブパス１２の各部の演算パラメータは、ＰＤＰ４の駆動シーケンスやＰＤＰ４のサブフィールド構成が変更された場合等には、その都度最適パラメータに設定し直す必要がある。
【００５０】
なお、従来、サブフィールドの分割数を増加することなく、誤差拡散法を利用して最大階調レベルおよび表示可能な総階調数を十分に大きくし、且つ、低階調レベルの再現性を向上するようにした表示装置および表示方法も提案されている（例えば、特許文献３参照）。
【００５１】
【特許文献１】
特許第３３２２８０９号明細書（特開平１０−３１４５５号公報）
【特許文献２】
特開平１１−８５１０１号公報
【特許文献３】
特許第３３５７６６６号明細書（特開２００２−８２６４９号公報）
【００５２】
【発明が解決しようとする課題】
上述したように、従来、動画疑似輪郭を低減するディスプレイの駆動技術が提案されている。具体的に、例えば、図３に示す従来のプラズマディスプレイ装置における画像処理回路（特許文献１参照）は、動画擬似輪郭を完全に抑圧できる技術として優れているが、サブパスに切り替えられた部分では、誤差拡散によるノイズ、すなわち、階調が少なくなってノイズのように見えるという問題があった。特に、メインパスの階調数を大きくした場合、動画疑似輪郭の発生しやすい階調が多くなるため、動画パスに切り替わる領域が増えてノイズが増加し、画質の劣化を生じることになっていた。
【００５３】
また、従来、メインパスの階調数を大きくした場合の画質の劣化を低減する技術も提案されている（特許文献２参照）が、視覚特性では認知できない色空間の検出が技術的に困難であった。
【００５４】
さらに、従来、階調数を拡散処理によって増加する表示装置および表示方法も提案されている（特許文献３参照）が、階調変換テーブルとしてメモリを使用するため、ハード構成が大きくなったコストがかかることになっていた。
【００５５】
本発明は、上述した従来のディスプレイ装置が有する課題に鑑み、大きなコスト増を招くことなく、動画疑似輪郭を有効に除去することのできるディスプレイ装置およびディスプレイの駆動方法の提供を目的とする。
【００５６】
【課題を解決するための手段】
本発明の第１の形態によれば、発光時間長によって輝度表現を行うと共に、サブフィールド法を用いて階調表示を行うディスプレイ装置であって、入力信号の階調数を圧縮して第１階調数の第１の中間画像信号を出力するゲイン制御回路と、前記第１の中間画像信号を受け取り、該第１の中間画像信号の階調数を再圧縮して第２階調数の第２の中間画像信号を出力するサブゲイン制御回路と、該第２の中間画像信号を受け取り、誤差拡散処理により階調数を疑似的に増加する誤差拡散回路とを備えることを特徴とするディスプレイ装置が提供される。
【００５７】
また、本発明の第２の形態によれば、第１階調数の入力画像信号から該第１階調数よりも少ない第２階調数の第１画像信号を生成するメインパスと、前記第２階調数よりも少ない第３階調数の第２画像信号を生成するサブパスと、前記メインパスで生成された第１画像信号と前記サブパスで生成された第２画像信号とを切り替えて出力するスイッチ回路と、前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイ装置であって、前記メインパスは、前記第１階調数の前記入力画像信号を受け取って、第４階調数の第１の中間画像信号を出力するゲイン制御回路と、前記第１の中間画像信号を受け取って、前記第２階調数の第２の中間画像信号を出力するサブゲイン制御回路と、該サブゲイン制御回路の出力信号を受け取り、誤差拡散を行って前記第１画像信号を出力する誤差拡散回路とを備えることを特徴とするディスプレイ装置が提供される。
【００５８】
また、本発明の第３の形態によれば、発光時間長によって輝度表現を行うと共に、サブフィールド法を用いて階調表示を行うディスプレイの駆動方法であって、入力画像信号の階調数を圧縮して第１階調数の第１の中間画像信号を生成し、該第１の中間画像信号の階調数を再圧縮して第２階調数の第２の中間画像信号を生成し、該第２の中間画像信号を誤差拡散処理して出力画像信号を生成することを特徴とするディスプレイの駆動方法が提供される。
【００５９】
また、本発明の第４の形態によれば、第１階調数の入力画像信号から該第１階調数よりも少ない第２階調数の第１画像信号を生成するメインパスと、前記第２階調数よりも少ない第３階調数の第２画像信号を生成するサブパスと、前記メインパスで生成された第１画像信号と前記サブパスで生成された第２画像信号とを切り替えて出力するスイッチ回路と、前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイの駆動方法であって、前記メインパスにおいて、前記第１階調数の入力画像信号に対して第１の演算を行って圧縮し、該第１階調数よりも少ない第４階調数の第１の中間画像信号を生成し、該第１の中間画像信号に対して第２の演算を行って再圧縮し、前記第４階調数よりも少ない前記第２階調数の第２の中間画像信号を出力し、該第２の中間画像信号に対して誤差拡散処理を行って前記第１画像信号を生成することを特徴とするディスプレイの駆動方法が提供される。
【００６０】
すなわち、本発明によれば、メインパスのサブフィールド配列を動画擬似輪郭が出にくい配列となるように、各サブフィールドの重みを小さくとり、階調を表示するときに発光させるサブフィールドのうち最も重いサブフィールドが単独で点灯することがないように表示する。
【００６１】
この場合、各サブフィールドの重みが小さいので全階調数は少なくなるが、本発明による第１のサブフィールド配列設定手段、第２のサブフィールド配列設定手段、サブゲイン制御回路により見かけの階調数を増加する。すなわち、複数のサブフィールドの組み合わせによって表示できない階調を、複数のサブフィールドの組み合わせによって表示できる階調間で拡散処理することによって表示する。また、本発明は階調数を増やすために、サブゲイン制御回路で演算処理を行って実現しているので階調変換テーブルを必要とせず、メモリも小さくて済む。
【００６２】
結果として、メインパスで生成する階調のほとんどで動画擬似輪郭が出にくくなり、残りの動画擬似輪郭の出やすい階調のみに対してサブパスに切り替えることで、サブパスが誤差拡散することにより発生するノイズを大幅に減らすことができる。
【００６３】
【発明の実施の形態】
以下、本発明に係るディスプレイ装置およびディスプレイの駆動方法の実施例を、図面を参照して詳述する。
【００６４】
図８は本発明に係るプラズマディスプレイ装置の画像処理回路の一例を示すブロック図であり、例えば、前述した図１に示すプラズマディスプレイ装置の画像処理回路１に適用される。図８において、参照符号１は画像処理回路、１１はメインパス、１２はサブパス、１３はスイッチ回路、１４は画像特徴判定部を示している。さらに、参照符号１１１はゲイン制御回路、１１２は誤差拡散回路、１１３はサブゲイン制御回路、１２１は歪み補正回路、１２２はゲイン制御回路、１２３は誤差拡散回路、そして、１２４はデータ整合回路を示している。また、参照符号１４１はＲＧＢマトリクス回路、１４２はエッジ検出回路、１４３は動き領域検出回路、１４４は第１の判定回路、１４５はレベル検出回路、そして、１４６は第２の判定回路を示している。
【００６５】
図８と前述した図３との比較から明らかなように、図８に示す本発明に係るプラズマディスプレイ装置の画像処理回路は、図３の従来の画像処理回路１のメインパス１１において、ゲイン制御回路１１１と誤差拡散回路１１２との間に、サブゲイン制御回路１１３を設けるようになっている。なお、本発明において、ゲイン制御回路１１１の他にサブゲイン制御回路１１３を設けることによる効果等は、後に、図５０〜図６０を参照して詳述する。
【００６６】
図８および図５０（ａ）に示されるように、メインパス１１において、例えば、２５６階調の入力画像信号は、ゲイン制御回路１１１に供給されて２１９／２５５倍され、ゲイン制御回路１１１からは２２０階調の信号（第１の中間画像信号）ＡＡが出力される。また、この２２０階調の第１の中間画像信号ＡＡは、サブゲイン制御回路１１３に供給されて１４７／２１９倍され、サブゲイン制御回路１１３からは１４８階調の信号（第２の中間画像信号）ＢＢが出力される。さらに、この１４８階調の第２の中間画像信号ＢＢは、誤差拡散回路１１２に供給されて、誤差拡散回路１１２からは１４８階調の信号（第１画像信号：メインパス１１の出力信号）ＣＣが出力される。ここで、図８のプラズマディスプレイ装置の画像処理回路において、サブパス１２、スイッチ回路１３および画像特徴判定部１４の構成は、前述した図３のものと実質的に同様な構成とされているのでその説明は省略する。また、図８のプラズマディスプレイ装置の画像処理回路における画像特徴判定部１４は、図３および図７を参照して説明した画像特徴判定部と同様のものであり、その説明も省略する。
【００６７】
図９〜図１２は本発明に係るプラズマディスプレイ装置に適用されるサブフィールド点灯表の一例を示す図であり、メインパスで階調表示を行う場合に使用されるものである。また、図１３は本発明に係るプラズマディスプレイ装置に適用されるサブパスにおけるサブフィールド点灯表の一例を示す図であり、図９〜図１２のメインパスにおけるサブフィールド点灯表に対応するサブパスにおけるサブフィールド点灯表である。
【００６８】
図９〜図１２に示すサブフィールド点灯表において、サブフィールド（ＳＦ）間の重みは小さく設定され、さらに、低階調を除く任意の階調を表示するときに発光させるサブフィールドのうち、最も重いサブフィールドが単独で点灯することが禁止されている。
【００６９】
すなわち、図９〜図１２に示されるように、ＳＦ１〜ＳＦ１０の重みは、ＳＦ１：ＳＦ２：ＳＦ３：ＳＦ４：ＳＦ５：ＳＦ６：ＳＦ７：ＳＦ８：ＳＦ９：ＳＦ１０＝１：２：４：８：１２：１６：２０：２４：２８：３２というように、ＳＦ間の重みが小さく設定されている。さらに、低階調（階調数１，２，４，８）を除いて、新たに、次のＳＦが点灯する階調（階調数１６，２８，４４，６４，８８，１１６）においても最も重いサブフィールドが単独で点灯することはない。
【００７０】
これにより、殆どの階調において動画擬似輪郭が発生しにくくなるが、一部階調において動画擬似輪郭はなお発生するため、それらの階調ではメインパスからサブパスに切り替えることにより動画擬似輪郭を完全に除去する。
【００７１】
すなわち、図１３に示されるように、動画擬似輪郭の発生が考えられる階調（例えば、階調数２，４，８，１６，２８，４４，６４，８８，１１６，１４８）ではメインパス１１からサブパス１２に切り替えることにより動画擬似輪郭を完全に除去する。なお、図９〜図１２に示すサブフィールド点灯表は、図８に示す画像処理回路のメインパス１１に適用し、上記所定の階調においてサブパス１２に切り替えて使用することもできるが、サブパスを持たない画像処理回路に適用し、全ての階調を図９〜図１２に示すサブフィールド点灯表に従ったサブフィールドの組み合わせで表示する場合でも、従来の駆動方法（例えば、図２に示すようなＳＦ１：ＳＦ２：ＳＦ３：ＳＦ４：ＳＦ５：ＳＦ６＝１：２：４：８：１６：３２）に比較すると、大幅に動画擬似輪郭を低減することができる。
【００７２】
図１４〜図１７は本発明に係るプラズマディスプレイ装置に適用されるサブフィールド点灯表の他の例を示す図であり、メインパスで階調表示を行う場合に使用されるものである。また、図１８は本発明に係るプラズマディスプレイ装置に適用されるサブパスにおけるサブフィールド点灯表の一例を示す図であり、図１４〜図１７のメインパスにおけるサブフィールド点灯表に対応するサブパスにおけるサブフィールド点灯表である。図１４〜図１７と図９〜図１２との比較から明らかなように、図１４〜図１７に示すサブフィールド点灯表は、図９〜図１２に示すサブフィールド点灯表におけるＳＦ１〜ＳＦ１０の重み付けを逆に（ＳＦ１：ＳＦ２：ＳＦ３：ＳＦ４：ＳＦ５：ＳＦ６：ＳＦ７：ＳＦ８：ＳＦ９：ＳＦ１０＝３２：２８：２４：２０：１６：１２：８：４：２：１）設定するようになっている。
【００７３】
図１４〜図１７に示すサブフィールド点灯表においても、サブフィールド（ＳＦ）間の重みは小さく設定され、さらに、低階調（階調数１，２，４，８）を除く任意の階調を表示するときに発光させるサブフィールドのうち、最も重いサブフィールドが単独で点灯することが禁止されている。これにより、殆どの階調において動画擬似輪郭が発生しにくくなるが、一部階調において動画擬似輪郭はなお発生するため、それらの階調（例えば、階調数２，４，８，１６，２８，４４，６４，８８，１１６，１４８）ではメインパスからサブパスに切り替えることにより動画擬似輪郭を完全に除去することができる。
【００７４】
図１９は本発明に係るプラズマディスプレイ装置の第１実施例におけるサブゲイン制御回路を概略的に示すブロック図であり、図２０は図１９に示すサブゲイン制御回路を説明するための図である。なお、以下の記述は、メインパスのサブフィールド点灯表は図９〜図１２に示したものを使用し、また、サブパスのサブフィールド点灯表は、図１３に示したものを使用して説明する。
【００７５】
図１９に示すサブゲイン制御回路は、図２０に示す関係を満足する演算を実行するためのものであり、演算回路３１１、乗算回路３１２〜３１４、加算回路３１５〜３１７、選択回路３１８、および、剰余算出回路３１９を備えている。演算回路３１１は、入力信号（ゲイン制御回路１１１の出力である第１の中間画像信号：２２０階調）ＡＡを受け取り、係数Ｃ＝３で除算して整数部分を出力するもので、その演算結果〔ＡＡ／３〕は、乗算回路３１２および３１３に供給される。
【００７６】
演算回路３１１の出力信号は、乗算回路３１２により『−１』が乗算され、さらに、加算回路３１５により乗算回路３１２の出力信号に入力信号ＡＡが加算される。これによって、パスＰ１１では、ＢＢ＝ＡＡ−〔ＡＡ／３〕が得られる。また、演算回路３１１の出力信号は、乗算回路３１３により『＋１』が乗算され、加算回路３１６により乗算回路３１３の出力信号に『＋１』が加算され、さらに、加算回路３１７により加算回路３１６の出力信号に入力信号ＡＡが加算され、そして、乗算回路３１４により『１／２』が乗算される。これによって、パスＰ１２では、ＢＢ＝（ＡＡ＋〔ＡＡ／３〕＋１）／２が得られる。
【００７７】
上記パスＰ１１およびＰ１２の出力信号は、剰余算出回路３１９の出力によって選択回路３１８で選択され、ＡＡ／３の余りが零のとき（割り切れたとき）には、パスＰ１１（加算回路３１５の出力信号）が選択され、ＡＡ／３の余りが零以外のとき（１，２：割り切れなかったとき）には、パスＰ１２（乗算回路３１４の出力信号）が選択され、第２の中間画像信号ＢＢとして出力される。
【００７８】
このように、図１９に示す本第１実施例に係るサブゲイン制御回路は図２０に示す関係を満足する演算を実行するためのものであるが、図２０に示されるように、本第１実施例においては、全階調を領域Ｒ１１と領域Ｒ１２の２つに分割し、入力信号ＡＡと出力信号ＢＢの比を略２／３となるようにする。
【００７９】
領域Ｒ１１では、３×Ｋ  ≦  入力信号ＡＡ  ＜  ３×Ｋ＋１が成立し、入力信号ＡＡと出力信号ＢＢとの演算式は、ＢＢ＝ＡＡ−〔ＡＡ／３〕となる。また、領域Ｒ１２では、３×Ｋ＋１  ≦  入力信号ＡＡ  ＜  ３×（Ｋ＋１）が成立し、入力信号ＡＡと出力信号ＢＢとの演算式は、ＢＢ＝（ＡＡ＋〔ＡＡ／３〕＋１）／２となる。
【００８０】
下記の表１は、本第１実施例におけるＳＦ重みテーブル３３（図１参照）に格納される各サブフィールドＳＦ１〜ＳＦ１０と重みの関係を示すもので、１．５倍（３／２倍）するようになっている。すなわち、本第１実施例のサブゲイン制御回路により２／３倍された階調（階調数１４８）を元の階調（階調数２２０）に戻してＰＤＰ４に表示するようになっている。
【００８１】
【表１】
2005024690.tif 000003
【００８２】
図２１〜図２６は図１９に示すサブゲイン制御回路の動作を説明するための図であり、サブゲイン制御回路１１３に入力する２２０階調の入力信号ＡＡを、剰余算出回路３１９の出力によってパスＰ１１またはパスＰ１２を選択して１４７階調の出力信号ＢＢとして出力し、さらに、ＳＦ重みテーブル３３により再び２２０階調の画像信号に戻す様子を示している。
【００８３】
図２７は本発明に係るプラズマディスプレイ装置の第２実施例におけるサブゲイン制御回路を概略的に示すブロック図であり、図２８は図２７に示すサブゲイン制御回路を説明するための図である。
【００８４】
図２７に示すサブゲイン制御回路は、図２８に示す関係を満足する演算を実行するためのものであり、演算回路３２１、乗算回路３２２〜３２５、加算回路３２６〜３３０、選択回路３３１、および、剰余算出回路３３２を備えている。演算回路３２１は、入力信号（ゲイン制御回路１１１の出力である第１の中間画像信号：１８４階調）ＡＡを受け取り、係数Ｃ＝５で除算して整数部分を出力するもので、その演算結果〔ＡＡ／５〕は、乗算回路３２２，３２３および３２４に供給される。
【００８５】
演算回路３２１の出力信号は、乗算回路３２２により『−１』が乗算され、さらに、加算回路３２６により『−１』が加算され、そして、加算回路３２７により加算回路３２６の出力信号に入力信号ＡＡが加算される。これによって、パスＰ２３では、ＢＢ＝ＡＡ−〔ＡＡ／５〕−１が得られる。また、演算回路３２１の出力信号は、乗算回路３２３により『−１』が乗算され、さらに、加算回路３２８により乗算回路３２３の出力信号に入力信号ＡＡが加算される。これによって、パスＰ２１では、ＢＢ＝ＡＡ−〔ＡＡ／５〕が得られる。さらに、演算回路３２１の出力信号は、乗算回路３２４により『＋３』が乗算され、加算回路３２９により乗算回路３２４の出力信号に『＋１』が加算され、さらに、加算回路３３０により加算回路３２９の出力信号に入力信号ＡＡが加算され、そして、乗算回路３２５により『１／２』が乗算される。これによって、パスＰ２２では、ＢＢ＝（ＡＡ＋〔ＡＡ／５〕×３＋１）／２が得られる。
【００８６】
上記パスＰ２１〜Ｐ２３の出力信号は、剰余算出回路３３２の出力によって選択回路３３１で選択され、ＡＡ／５の余りが零のときには、パスＰ２１（加算回路３２８の出力信号）が選択され、ＡＡ／５の余りが１または２のときには、パスＰ２２（乗算回路３２５の出力信号）が選択され、そして、ＡＡ／５の余りが３または４のときには、パスＰ２３（加算回路３２７の出力信号）が選択され、第２の中間画像信号ＢＢとして出力される。
【００８７】
このように、図２７に示す本第２実施例に係るサブゲイン制御回路は図２８に示す関係を満足する演算を実行するためのものであるが、図２８に示されるように、本第２実施例においては、全階調を領域Ｒ２１，領域Ｒ２２および領域Ｒ２３の３つに分割し、入力信号ＡＡと出力信号ＢＢの比を略４／５となるようにする。
【００８８】
領域Ｒ２１では、５×Ｋ  ≦  入力信号ＡＡ  ＜  ５×Ｋ＋１が成立し、入力信号ＡＡと出力信号ＢＢとの演算式は、ＢＢ＝ＡＡ−〔ＡＡ／５〕となる。また、領域Ｒ２２では、５×Ｋ＋１  ≦  入力信号ＡＡ  ＜  ５×Ｋ＋３が成立し、入力信号ＡＡと出力信号ＢＢとの演算式は、ＢＢ＝（ＡＡ＋〔ＡＡ／５〕×３＋１）／２となる。さらに、領域Ｒ２３では、５×Ｋ＋３  ≦  入力信号ＡＡ  ＜５×（Ｋ＋１）が成立し、入力信号ＡＡと出力信号ＢＢとの演算式は、ＢＢ＝ＡＡ−〔ＡＡ／５〕−１となる。
【００８９】
下記の表２は、本第２実施例におけるＳＦ重みテーブル３３に格納される各サブフィールドＳＦ１〜ＳＦ１０と重みの関係を示すもので、１．２５倍（５／４倍）するようになっている。すなわち、本第２実施例のサブゲイン制御回路により４／５倍された階調（階調数１４８）を元の階調（階調数１８４）に戻してＰＤＰ４に表示するようになっている。
【００９０】
【表２】
2005024690.tif 000004
【００９１】
図２９〜図３３は図２７に示すサブゲイン制御回路の動作を説明するための図であり、サブゲイン制御回路１１３に入力する１８４階調の入力信号ＡＡを、剰余算出回路３３２の出力によってパスＰ２１〜Ｐ２３のいずれか１つを選択して１４８階調の出力信号ＢＢとして出力し、さらに、ＳＦ重みテーブル３３により再び１８４階調の画像信号に戻す様子を示している。
【００９２】
図３４は本発明に係るプラズマディスプレイ装置の第３実施例におけるサブゲイン制御回路を概略的に示すブロック図であり、図３５は図３４に示すサブゲイン制御回路を説明するための図である。
【００９３】
図３４に示すサブゲイン制御回路は、図３５に示す関係を満足する演算を実行するためのものであり、演算回路３４１、乗算回路３４２〜３４７、加算回路３４８〜３５４、選択回路３５５、および、剰余算出回路３５６を備えている。演算回路３４１は、入力信号（ゲイン制御回路１１１の出力である第１の中間画像信号：２５６階調）ＡＡを受け取り、係数Ｃ＝７で除算して整数部分を出力するもので、その演算結果〔ＡＡ／７〕は、乗算回路３４２，３４３，３４４および３４５に供給される。
【００９４】
演算回路３４１の出力信号は、乗算回路３４２により『＋５』が乗算され、また、加算回路３４８により『＋５』が加算され、さらに、加算回路３４９により加算回路３４８の出力信号に入力信号ＡＡが加算され、そして、乗算回路３４６により『１／３』が乗算される。これによって、パスＰ３４では、ＢＢ＝（ＡＡ＋〔ＡＡ／７〕×５＋５）／３が得られる。また、演算回路３４１の出力信号は、乗算回路３４３により『−３』が乗算され、また、加算回路３５０により『−１』が加算され、さらに、加算回路３５１により乗算回路３５０の出力信号に入力信号ＡＡが加算される。これによって、パスＰ３３では、ＢＢ＝ＡＡ−〔ＡＡ／７〕×３−１が得られる。
【００９５】
さらに、演算回路３４１の出力信号は、乗算回路３４４により『−３』が乗算され、加算回路３５２により乗算回路３４４の出力信号に入力信号ＡＡが加算される。これによって、パスＰ３１では、ＢＢ＝ＡＡ−〔ＡＡ／７〕×３が得られる。また、演算回路３４１の出力信号は、乗算回路３４５により『＋１』が乗算され、また、加算回路３５３により『＋１』が加算され、さらに、加算回路３５４により加算回路３５３の出力信号に入力信号ＡＡが加算され、そして、乗算回路３４７により『１／２』が乗算される。これによって、パスＰ３２では、ＢＢ＝（ＡＡ＋〔ＡＡ／７〕＋１）／２が得られる。
【００９６】
上記パスＰ３１〜Ｐ３４の出力信号は、剰余算出回路３５６の出力によって選択回路３５５で選択され、ＡＡ／７の余りが零のときには、パスＰ３１（加算回路３５２の出力信号）が選択され、ＡＡ／７の余りが１または２のときには、パスＰ３２（乗算回路３４７の出力信号）が選択され、ＡＡ／７の余りが３のときには、パスＰ３３（加算回路３５１の出力信号）が選択され、そして、ＡＡ／７の余りが４，５または６のときには、パスＰ３４（乗算回路３４６の出力信号）が選択され、第２の中間画像信号ＢＢとして出力される。
【００９７】
このように、図３４に示す本第３実施例に係るサブゲイン制御回路は図３５に示す関係を満足する演算を実行するためのものであるが、図３５に示されるように、本第３実施例においては、全階調を領域Ｒ３１，Ｒ３２，領域Ｒ３３および領域Ｒ３４の４つに分割し、入力信号ＡＡと出力信号ＢＢの比を略４／７となるようにする。
【００９８】
領域Ｒ３１では、７×Ｋ  ≦  入力信号ＡＡ  ＜  ７×Ｋ＋１が成立し、入力信号ＡＡと出力信号ＢＢとの演算式は、ＢＢ＝ＡＡ−〔ＡＡ／７〕×３となる。また、領域Ｒ３２では、７×Ｋ＋１  ≦  入力信号ＡＡ  ＜  ７×Ｋ＋３が成立し、入力信号ＡＡと出力信号ＢＢとの演算式は、ＢＢ＝（ＡＡ＋〔ＡＡ／７〕＋１）／２となる。さらに、領域Ｒ３３では、７×Ｋ＋３  ≦  入力信号ＡＡ  ＜７×Ｋ＋４が成立し、入力信号ＡＡと出力信号ＢＢとの演算式は、ＢＢ＝ＡＡ−〔ＡＡ／７〕×３−１となる。そして、領域Ｒ３４では、７×Ｋ＋４  ≦  入力信号ＡＡ  ＜  ７×（Ｋ＋１）が成立し、入力信号ＡＡと出力信号ＢＢとの演算式は、ＢＢ＝（ＡＡ＋〔ＡＡ／７〕×５＋５）／３となる。
【００９９】
下記の表３は、本第３実施例におけるＳＦ重みテーブル３３に格納される各サブフィールドＳＦ１〜ＳＦ１０と重みの関係を示すもので、１．７５倍（７／４倍）するようになっている。すなわち、本第３実施例のサブゲイン制御回路により４／７倍された階調（階調数１４８）を元の階調（階調数２５６）に戻してＰＤＰ４に表示するようになっている。なお、表１〜表３に示されるように、第１のサブフィールドＳＦ１の重みは１であるが、第２サブフィールドＳＦ２の重みは３（３以上）とされている。
【０１００】
【表３】
2005024690.tif 000005
【０１０１】
図３６〜図４２は図３４に示すサブゲイン制御回路の動作を説明するための図であり、サブゲイン制御回路１１３に入力する２５６階調の入力信号ＡＡを、剰余算出回路３５６の出力によってパスＰ３１〜Ｐ３４のいずれか１つを選択して１４８階調の出力信号ＢＢとして出力し、さらに、ＳＦ重みテーブル３３により再び２５６階調の画像信号に戻す様子を示している。
【０１０２】
図４３は本発明に係るプラズマディスプレイ装置の第４実施例におけるサブゲイン制御回路を概略的に示すブロック図であり、図４４は図４３に示すサブゲイン制御回路を説明するための図である。
【０１０３】
図４３に示すサブゲイン制御回路は、図４４に示す関係を満足する演算を実行するためのものであり、演算回路３６１、乗算回路３６２〜３６５、加算回路３６６〜３６８、選択回路３６９、および、剰余算出回路３７０を備えている。演算回路３６１は、入力信号（ゲイン制御回路１１１の出力である第１の中間画像信号：１８４階調）ＡＡを受け取り、係数Ｃ＝５で除算して整数部分を出力するもので、その演算結果〔ＡＡ／５〕は、乗算回路３６２および３６３に供給される。
【０１０４】
演算回路３６１の出力信号は、乗算回路３６２により『−１』が乗算され、さらに、加算回路３６６により乗算回路３６２の出力信号に入力信号ＡＡが加算される。これによって、パスＰ４１では、ＢＢ＝ＡＡ−〔ＡＡ／５〕が得られる。また、演算回路３６１の出力信号は、乗算回路３６３により『＋１』が乗算され、また、加算回路３６７により『＋１』が加算され、さらに、加算回路３６８により加算回路３６７の出力信号に入力信号ＡＡが加算され、そして、乗算回路３６５により『１／４』が乗算される。これによって、パスＰ４２では、ＢＢ＝（ＡＡ×３＋〔ＡＡ／５〕＋１）／４が得られる。
【０１０５】
上記パスＰ４１およびＰ４２の出力信号は、剰余算出回路３７０の出力によって選択回路３６９で選択され、ＡＡ／５の余りが零のときには、パスＰ４１（加算回路３６６の出力信号）が選択され、ＡＡ／５の余りが１，２，３または４のときには、パスＰ４２（乗算回路３６５の出力信号）が選択され、第２の中間画像信号ＢＢとして出力される。
【０１０６】
このように、図４３に示す本第４実施例に係るサブゲイン制御回路は図４４に示す関係を満足する演算を実行するためのものであるが、図４４に示されるように、本第４実施例においては、全階調を領域Ｒ４１および領域Ｒ４２の２つに分割し、入力信号ＡＡと出力信号ＢＢの比を略４／５となるようにする。
【０１０７】
領域Ｒ４１では、５×Ｋ  ≦  入力信号ＡＡ  ＜  ５×Ｋ＋１が成立し、入力信号ＡＡと出力信号ＢＢとの演算式は、ＢＢ＝ＡＡ−〔ＡＡ／５〕となる。また、領域Ｒ４２では、５×Ｋ＋１  ≦  入力信号ＡＡ  ＜  ５×（Ｋ＋１）が成立し、入力信号ＡＡと出力信号ＢＢとの演算式は、ＢＢ＝（ＡＡ×３＋〔ＡＡ／５〕＋１）／４となる。
【０１０８】
本第４実施例では、領域Ｒ４２で生成する出力信号ＢＢを入力信号ＡＡの階調数より少ない階調から生成している。具体的に、例えば、表示階調２，３，４は、重み１と重み５の拡散によって実現している。この第４実施例は、前述した第２実施例と比べて、分割する領域の数を減らすことにより、回路を単純化するようになっている。すなわち、本第４実施例においては、サブゲイン制御回路を前述した第１実施例のサブゲイン制御回路と同様の構成とすることができるため、パラメータの変更により第１実施例のサブゲイン制御回路と第４実施例のサブゲイン制御回路と同一の回路により実現することができる。さらに、係数（ｎ−１）／（ｍ−１）により近似されるため、表示階調のリニアリティを改善することができる。
【０１０９】
本第４実施例におけるＳＦ重みテーブル３３に格納される各サブフィールドＳＦ１〜ＳＦ１０と重みの関係は、前述した表２に示されるものと同様であり、１．２５倍（５／４倍）するようになっている。すなわち、本第４実施例のサブゲイン制御回路により４／５倍された階調（階調数１４８）は、５／４倍して元の階調（階調数１８４）に戻され、ＰＤＰ４に表示される。
【０１１０】
図４５〜図４９は図４３に示すサブゲイン制御回路の動作を説明するための図であり、サブゲイン制御回路１１３に入力する１８４階調の入力信号Ａ１を、剰余算出回路３７０の出力によってパスＰ４１またはＰ４２のいずれかを選択して１４８階調の出力信号ＢＢとして出力し、さらに、ＳＦ重みテーブル３３により再び１８４階調の画像信号に戻す様子を示している。
【０１１１】
図５０はプラズマディスプレイ装置において、サブゲイン制御回路を使用する場合と使用しない場合の構成を比較して示す要部のブロック図であり、図５０（ａ）はサブゲイン制御回路を使用する場合を示し、また、図５０（ｂ）はサブゲイン制御回路を使用しない場合を示している。
【０１１２】
まず、サブゲイン制御回路１１３を使用する場合、図５０（ａ）に示されるように、例えば、２５６階調の入力画像信号は、ゲイン制御回路１１１により２１９／２５５倍されて２２０階調の第１の中間画像信号Ａ１（第１の中間画像信号ＡＡ）に変換（圧縮）され、サブゲイン制御回路１１３に供給される。さらに、サブゲイン制御回路１１３において、図１９〜図２６を参照して説明したように、２２０階調の第１の中間画像信号Ａ１は、２／３倍（１４７／２１９倍）されて１４８階調の第２の中間画像信号Ｂ１（第２の中間画像信号ＢＢ）に変換されて誤差拡散回路１１２に供給される。ここで、ゲイン制御回路１１１により２５６階調の入力画像信号を２１９／２５５倍したときの小数部分は、サブゲイン制御回路１１３を介してそのまま誤差拡散回路１１２に供給されて誤差拡散処理が行われる。さらに、サブゲイン制御回路１１３により２２０階調の第１の中間画像信号Ａ１を２／３倍したとき（図１９〜図２６を参照して説明したような処理）の第２の中間画像信号Ｂ１の小数部分も誤差拡散回路１１２において誤差拡散処理が行われることになる。
【０１１３】
そして、誤差拡散回路１１２の出力信号（実階調数は１４８階調）は、ＳＦ重み設定部（例えば、図１のＳＦ重みテーブル３３に格納された変換テーブル、並びに、ＳＵＳ数設定回路３４およびコントローラ３５）により階調が１．５倍（３／２倍）されて２２０階調の画像信号Ｃ１に変換（伸張）される。なお、ＳＦ重み設定部で３／２倍された２２０階調の画像信号Ｃ１には、誤差拡散回路１１２による誤差拡散処理のデータが含まれており、ＰＤＰ４では擬似的に２５６階調の表示が行われることになる。
【０１１４】
一方、サブゲイン制御回路を使用しない場合、図５０（ｂ）に示されるように、例えば、２５６階調の入力画像信号は、ゲイン制御回路１１１により１４７／２５５倍されて１４８階調の中間画像信号Ａ２に変換され、誤差拡散回路１１２に供給される。ここで、ゲイン制御回路１１１により２５６階調の入力画像信号を２１９／２５５倍したときの小数部分は、誤差拡散回路１１２に供給されて誤差拡散処理が行われる。
【０１１５】
そして、誤差拡散回路１１２の出力信号（実階調数は１４８階調）は、ＳＦ重み設定部（３３）により３／２倍されて２２０階調の画像信号Ｃ２に変換される。なお、ＳＦ重み設定部で３／２倍された２２０階調の画像信号Ｃ２には、誤差拡散回路１１２による誤差拡散処理のデータが含まれており、ＰＤＰ４では擬似的に２５６階調の表示が行われることになる。
【０１１６】
図５１〜図６０は本発明に係るプラズマディスプレイ装置において、サブゲイン制御回路を使用することによる効果を説明するための図である。ここで、図５１〜図６０の「サブゲイン回路有り」の欄における演算（１）は、図１９のパスＰ１１の演算に対応するもので、Ｂ１＝Ａ１−〔Ａ１／３〕であり、また、演算（２）は、図１９のパスＰ１２の演算に対応するもので、Ｂ１＝（Ａ１＋〔Ａ１／３〕＋１）／２であり、信号Ａ１が３で割り切れるか否かにより、パスＰ１１またはパスＰ１２の出力が選択されるようになっている。なお、サブゲイン制御回路を使用しない場合においても、２２０階調の信号との誤差を考えるために、出力信号精度の誤差として、第１の中間画像信号Ａ１と出力画像信号Ｃ２との差を考えている。
【０１１７】
図５１〜図６０から明らかなように、図５０（ｂ）に示されるようなゲイン制御回路１１１のパラメータを変更し、ゲイン制御回路１１１で２５６階調の入力画像信号を１４７／２５５倍して１４８階調の中間画像信号Ａ２を誤差拡散回路１１２に供給し、誤差拡散回路１１２の出力信号をＳＦ重み設定部（３３）に供給した場合には、ゲイン制御回路１１１による信号圧縮時に情報の欠落（信号欠落）が発生することが分かる。
【０１１８】
すなわち、図５０（ａ）に示すサブゲイン制御回路を使用する場合には、出力信号精度の誤差（Ａ１−Ｃ１）は全て零となって入力信号（第１の中間画像信号Ａ１）と出力画像信号Ｃ１との間に誤差が存在しない（完全に再現される）のに対して、図５０（ｂ）に示すサブゲイン制御回路を使用しない場合には、出力信号精度の誤差（Ａ１−Ｃ２）には各階調で誤差が生じ、累積的には、７０．４２階調分もの誤差が存在することが分かる。
【０１１９】
このように、本発明に係るディスプレイ装置は、単に従来のゲイン制御回路におけるパラメータを変更するだけのものとは根本的に異なるものであります。なお、本発明のディスプレイ装置は、プラズマディスプレイ装置に限定されるものではなく、発光時間長によって輝度表現を行うと共に、サブフィールド法を用いて階調表示を行うディスプレイ装置であれば、他のディスプレイ装置に対しても適用することができる。
【０１２０】
（付記１）  発光時間長によって輝度表現を行うと共に、サブフィールド法を用いて階調表示を行うディスプレイ装置であって、
入力信号の階調数を圧縮して第１階調数の第１の中間画像信号を出力するゲイン制御回路と、
前記第１の中間画像信号を受け取り、該第１の中間画像信号の階調数を再圧縮して第２階調数の第２の中間画像信号を出力するサブゲイン制御回路と、
該第２の中間画像信号を受け取り、誤差拡散処理により階調数を疑似的に増加する誤差拡散回路とを備えることを特徴とするディスプレイ装置。
【０１２１】
（付記２）  付記１に記載のディスプレイ装置において、さらに、
階調数が前記第１階調数となるように、１フィールドを複数のサブフィールドで構成した第１のサブフィールド配列設定手段と、
階調数が前記第１階調数よりも小さい前記第２階調数となるように、１フィールドを複数のサブフィールドで構成した第２のサブフィールド配列設定手段とを備えることを特徴とするディスプレイ装置。
【０１２２】
（付記３）  付記２に記載のディスプレイ装置において、前記第１のサブフィールド配列設定手段は、第１サブフィールドの重みを１とし、且つ、第２サブフィールドの重みを３以上とすることを特徴とするディスプレイ装置。
【０１２３】
（付記４）  付記２に記載のディスプレイ装置において、前記第１のサブフィールド配列設定手段における各サブフィールドの重みと、前記第２のサブフィールド配列設定手段における各サブフィールドの重みの比が、略ｍ：ｎ（ここで、ｍ，ｎは自然数、且つ、ｎ＜ｍ）であることを特徴とするディスプレイ装置。
【０１２４】
（付記５）  付記２に記載のディスプレイ装置において、前記第２のサブフィールド配列設定手段は、低階調を除く任意の階調を表示するときに発光させるサブフィールドのうち、最も重いサブフィールドを少なくとも他の１つのサブフィールドと共に点灯させることを特徴とするディスプレイ装置。
【０１２５】
（付記６）  付記２に記載のディスプレイ装置において、前記第１のサブフィールド配列設定手段は、前記第１階調数ｍとなる複数のサブフィールドの配列を設定し、且つ、前記第２のサブフィールド配列設定手段は、前記第２階調数ｎとなる複数のサブフィールドの配列を設定する（ここで、ｍ，ｎは自然数、ｎ＜ｍ）ことを特徴とするディスプレイ装置。
【０１２６】
（付記７）  付記６に記載のディスプレイ装置において、前記第１のサブフィールド配列設定手段により生成される階調数ｍおよび前記第２のサブフィールド配列設定手段により生成される階調数ｎに関して、（ｍ−１）：（ｎ−１）が略整数の比になることを特徴とするディスプレイ装置。
【０１２７】
（付記８）  付記７に記載のディスプレイ装置において、前記（ｍ−１）：（ｎ−１）が、２：３、４：５或いは４：７であることを特徴とするディスプレイ装置。
【０１２８】
（付記９）  付記６に記載のディスプレイ装置において、前記サブゲイン制御回路は、（ｎ−１）／（ｍ−１）を乗算して前記第１階調数の前記第１の中間画像信号を圧縮し、前記第２階調数の前記第２の中間画像信号を生成することを特徴とするディスプレイ装置。
【０１２９】
（付記１０）  付記９に記載のディスプレイ装置において、前記サブゲイン制御回路は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイ装置。
【０１３０】
（付記１１）  付記１０に記載のディスプレイ装置において、前記折れ線近似する直線の傾きは、１、１／２、１／３、１／４から選ばれることを特徴とするディスプレイ装置。
【０１３１】
（付記１２）  付記９に記載のディスプレイ装置において、さらに、
前記サブゲイン制御回路により前記係数（ｎ−１）／（ｍ−１）を乗算して圧縮され前記誤差拡散回路を介して出力される画像信号を伸張するために、重みを（ｍ−１）／（ｎ−１）倍する重み設定手段を備えることを特徴とするディスプレイ装置。
【０１３２】
（付記１３）  第１階調数の入力画像信号から該第１階調数よりも少ない第２階調数の第１画像信号を生成するメインパスと、
前記第２階調数よりも少ない第３階調数の第２画像信号を生成するサブパスと、
前記メインパスで生成された第１画像信号と前記サブパスで生成された第２画像信号とを切り替えて出力するスイッチ回路と、
前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイ装置であって、前記メインパスは、
前記第１階調数の前記入力画像信号を受け取って、第４階調数の第１の中間画像信号を出力するゲイン制御回路と、
前記第１の中間画像信号を受け取って、前記第２階調数の第２の中間画像信号を出力するサブゲイン制御回路と、
該サブゲイン制御回路の出力信号を受け取り、誤差拡散を行って前記第１画像信号を出力する誤差拡散回路とを備えることを特徴とするディスプレイ装置。
【０１３３】
（付記１４）  付記１３に記載のディスプレイ装置において、さらに、
階調数が前記第４階調数となるように、１フィールドを複数のサブフィールドで構成した第１のサブフィールド配列設定手段と、
階調数が前記第４階調数よりも小さい前記第２階調数となるように、１フィールドを複数のサブフィールドで構成した第２のサブフィールド配列設定手段とを備えることを特徴とするディスプレイ装置。
【０１３４】
（付記１５）  付記１４に記載のディスプレイ装置において、前記第１のサブフィールド配列設定手段は、第１サブフィールドの重みを１とし、且つ、第２サブフィールドの重みを３以上とすることを特徴とするディスプレイ装置。
【０１３５】
（付記１６）  付記１４に記載のディスプレイ装置において、前記第１のサブフィールド配列設定手段における各サブフィールドの重みと、前記第２のサブフィールド配列設定手段における各サブフィールドの重みの比が、略ｍ：ｎ（ここで、ｍ，ｎは自然数、且つ、ｎ＜ｍ）であることを特徴とするディスプレイ装置。
【０１３６】
（付記１７）  付記１４に記載のディスプレイ装置において、前記第２のサブフィールド配列設定手段は、低階調を除く任意の階調を表示するときに発光させるサブフィールドのうち、最も重いサブフィールドを少なくとも他の１つのサブフィールドと共に点灯させることを特徴とするディスプレイ装置。
【０１３７】
（付記１８）  付記１４に記載のディスプレイ装置において、前記第１のサブフィールド配列設定手段は、前記第４階調数ｍとなる複数のサブフィールドの配列を設定し、且つ、前記第２のサブフィールド配列設定手段は、前記第２階調数ｎとなる複数のサブフィールドの配列を設定する（ここで、ｍ，ｎは自然数、ｎ＜ｍ）ことを特徴とするディスプレイ装置。
【０１３８】
（付記１９）  付記１８に記載のディスプレイ装置において、前記第１のサブフィールド配列設定手段により生成される階調数ｍおよび前記第２のサブフィールド配列設定手段により生成される階調数ｎに関して、（ｍ−１）：（ｎ−１）が略整数の比になることを特徴とするディスプレイ装置。
【０１３９】
（付記２０）  付記１９に記載のディスプレイ装置において、前記（ｍ−１）：（ｎ−１）が、２：３、４：５或いは４：７であることを特徴とするディスプレイ装置。
【０１４０】
（付記２１）  付記１８に記載のディスプレイ装置において、前記サブゲイン制御回路は、（ｎ−１）／（ｍ−１）を乗算して前記第４階調数の前記第１の中間画像信号を圧縮し、前記第２階調数の前記第２の中間画像信号を生成することを特徴とするディスプレイ装置。
【０１４１】
（付記２２）  付記２１に記載のディスプレイ装置において、前記サブゲイン制御回路は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイ装置。
【０１４２】
（付記２３）  付記２２に記載のディスプレイ装置において、前記折れ線近似する直線の傾きは、１、１／２、１／３、１／４から選ばれることを特徴とするディスプレイ装置。
【０１４３】
（付記２４）  付記２１記載のディスプレイ装置において、さらに、
前記サブゲイン制御回路により前記係数（ｎ−１）／（ｍ−１）を乗算して圧縮され前記誤差拡散回路を介して出力される前記第１画像信号を伸張するために、重みを（ｍ−１）／（ｎ−１）倍する重み設定手段を備えることを特徴とするディスプレイ装置。
【０１４４】
（付記２５）  付記１〜２４のいずれか１項に記載のディスプレイ装置において、
前記画像信号は、赤色、青色および緑色のＲＧＢ信号であり、且つ、
前記メインパス、前記サブパス、前記スイッチ回路、前記パス切り替え制御部、前記ゲイン制御回路、前記サブゲイン制御回路、および、前記誤差拡散回路は、前記ＲＧＢ信号のそれぞれに対して設けられていることを特徴とするディスプレイ装置。
【０１４５】
（付記２６）  付記１〜２５のいずれか１項に記載のディスプレイ装置において、前記ディスプレイ装置は、プラズマディスプレイ装置であることを特徴とするディスプレイ装置。
【０１４６】
（付記２７）  発光時間長によって輝度表現を行うと共に、サブフィールド法を用いて階調表示を行うディスプレイの駆動方法であって、
入力画像信号の階調数を圧縮して第１階調数の第１の中間画像信号を生成し、
該第１の中間画像信号の階調数を再圧縮して第２階調数の第２の中間画像信号を生成し、
該第２の中間画像信号を誤差拡散処理して出力画像信号を生成することを特徴とするディスプレイの駆動方法。
【０１４７】
（付記２８）  付記２７に記載のディスプレイの駆動方法において、さらに、第１のサブフィールド配列設定において、階調数が前記第１階調数となるように、１フィールドを複数のサブフィールドで構成し、且つ、
第２のサブフィールド配列設定において、階調数が前記第１階調数よりも小さい前記第２階調数となるように、１フィールドを複数のサブフィールドで構成することを特徴とするディスプレイの駆動方法。
【０１４８】
（付記２９）  付記２８に記載のディスプレイの駆動方法において、前記第１のサブフィールド配列設定は、第１サブフィールドの重みを１とし、且つ、第２サブフィールドの重みを３以上とすることを特徴とするディスプレイの駆動方法。
【０１４９】
（付記３０）  付記２８に記載のディスプレイの駆動方法において、前記第１のサブフィールド配列設定における各サブフィールドの重みと、前記第２のサブフィールド配列設定における各サブフィールドの重みの比が、略ｍ：ｎ（ここで、ｍ，ｎは自然数、且つ、ｎ＜ｍ）であることを特徴とするディスプレイの駆動方法。
【０１５０】
（付記３１）  付記２８に記載のディスプレイの駆動方法において、前記第２のサブフィールド配列設定は、低階調を除く任意の階調を表示するときに発光させるサブフィールドのうち、最も重いサブフィールドを少なくとも他の１つのサブフィールドと共に点灯させることを特徴とするディスプレイの駆動方法。
【０１５１】
（付記３２）  付記２８に記載のディスプレイの駆動方法において、前記第１のサブフィールド配列設定は、前記第１階調数ｍとなる複数のサブフィールドの配列を設定し、且つ、前記第２のサブフィールド配列設定は、前記第２階調数ｎとなる複数のサブフィールドの配列を設定する（ここで、ｍ，ｎは自然数、ｎ＜ｍ）ことを特徴とするディスプレイの駆動方法。
【０１５２】
（付記３３）  付記３２に記載のディスプレイの駆動方法において、前記第１のサブフィールド配列設定により生成される階調数ｍおよび前記第２のサブフィールド配列設定により生成される階調数ｎに関して、（ｍ−１）：（ｎ−１）が略整数の比になることを特徴とするディスプレイの駆動方法。
【０１５３】
（付記３４）  付記３３に記載のディスプレイの駆動方法において、前記（ｍ−１）：（ｎ−１）が、２：３、４：５或いは４：７であることを特徴とするディスプレイの駆動方法。
【０１５４】
（付記３５）  付記３２に記載のディスプレイの駆動方法において、前記第１の中間画像信号の階調数を再圧縮して行う前記第２の中間画像信号の生成は、該第１の中間画像信号に対して（ｎ−１）／（ｍ−１）を乗算することを特徴とするディスプレイの駆動方法。
【０１５５】
（付記３６）  付記３５に記載のディスプレイの駆動方法において、前記第１の中間画像信号の階調数を再圧縮して行う前記第２の中間画像信号の生成は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイの駆動方法。
【０１５６】
（付記３７）  付記３６に記載のディスプレイの駆動方法において、前記折れ線近似する直線の傾きは、１、１／２、１／３、１／４から選ばれることを特徴とするディスプレイの駆動方法。
【０１５７】
（付記３８）  付記３５に記載のディスプレイの駆動方法において、さらに、前記係数（ｎ−１）／（ｍ−１）を乗算して圧縮され、且つ、誤差拡散処理されて出力される前記出力画像信号を伸張するために、重みを（ｍ−１）／（ｎ−１）倍することを特徴とするディスプレイの駆動方法。
【０１５８】
（付記３９）  第１階調数の入力画像信号から該第１階調数よりも少ない第２階調数の第１画像信号を生成するメインパスと、
前記第２階調数よりも少ない第３階調数の第２画像信号を生成するサブパスと、
前記メインパスで生成された第１画像信号と前記サブパスで生成された第２画像信号とを切り替えて出力するスイッチ回路と、
前記入力画像信号およびそれを加工した信号から画像の動き量が所定値を超える動き領域を検出し、該動き領域では前記スイッチ回路を前記第１画像信号から前記第２画像信号に切り替えるパス切り替え制御部とを備え、発光時間長によって輝度表現を行うと共に、サブフィールド法を用いて階調表示を行うディスプレイの駆動方法であって、前記メインパスにおいて、
前記第１階調数の入力画像信号に対して第１の演算を行って圧縮し、該第１階調数よりも少ない第４階調数の第１の中間画像信号を生成し、
該第１の中間画像信号に対して第２の演算を行って再圧縮し、前記第４階調数よりも少ない前記第２階調数の第２の中間画像信号を出力し、
該第２の中間画像信号に対して誤差拡散処理を行って前記第１画像信号を生成することを特徴とするディスプレイの駆動方法。
【０１５９】
（付記４０）  付記３９に記載のディスプレイの駆動方法において、さらに、第１のサブフィールド配列設定において、階調数が前記第４階調数となるように、１フィールドを複数のサブフィールドで構成し、且つ、
第２のサブフィールド配列設定において、階調数が前記第４階調数よりも小さい前記第２階調数となるように、１フィールドを複数のサブフィールドで構成することを特徴とするディスプレイの駆動方法。
【０１６０】
（付記４１）  付記４０に記載のディスプレイの駆動方法において、前記第１のサブフィールド配列設定手段は、第１サブフィールドの重みを１とし、且つ、第２サブフィールドの重みを３以上とすることを特徴とするディスプレイの駆動方法。
【０１６１】
（付記４２）  付記４０に記載のディスプレイの駆動方法において、前記第１のサブフィールド配列設定における各サブフィールドの重みと、前記第２のサブフィールド配列設定における各サブフィールドの重みの比が、略ｍ：ｎ（ここで、ｍ，ｎは自然数、且つ、ｎ＜ｍ）であることを特徴とするディスプレイの駆動方法。
【０１６２】
（付記４３）  付記４０に記載のディスプレイの駆動方法において、前記第２のサブフィールド配列設定は、低階調を除く任意の階調を表示するときに発光させるサブフィールドのうち、最も重いサブフィールドを少なくとも他の１つのサブフィールドと共に点灯させることを特徴とするディスプレイの駆動方法。
【０１６３】
（付記４４）  付記４０に記載のディスプレイの駆動方法において、前記第１のサブフィールド配列設定は、前記第４階調数ｍとなる複数のサブフィールドの配列を設定し、且つ、前記第２のサブフィールド配列設定は、前記第２階調数ｎとなる複数のサブフィールドの配列を設定する（ここで、ｍ，ｎは自然数、ｎ＜ｍ）ことを特徴とするディスプレイの駆動方法。
【０１６４】
（付記４５）  付記４４に記載のディスプレイの駆動方法において、前記第１のサブフィールド配列設定により生成される階調数ｍおよび前記第２のサブフィールド配列設定により生成される階調数ｎに関して、（ｍ−１）：（ｎ−１）が略整数の比になることを特徴とするディスプレイの駆動方法。
【０１６５】
（付記４６）  付記４５に記載のディスプレイの駆動方法において、前記（ｍ−１）：（ｎ−１）が、２：３、４：５或いは４：７であることを特徴とするディスプレイの駆動方法。
【０１６６】
（付記４７）  付記４４に記載のディスプレイの駆動方法において、前記第１の中間画像信号の階調数を再圧縮して行う前記第２の中間画像信号の生成は、該第１の中間画像信号に対して（ｎ−１）／（ｍ−１）を乗算することを特徴とするディスプレイの駆動方法。
【０１６７】
（付記４８）  付記４７に記載のディスプレイの駆動方法において、前記第１の中間画像信号の階調数を再圧縮して行う前記第２の中間画像信号の生成は、ｎ階調を複数の領域に分割し、該分割された各領域を傾きが自然数分の一の各直線の集合で折れ線近似して前記係数（ｎ−１）／（ｍ−１）の乗算を行うことを特徴とするディスプレイの駆動方法。
【０１６８】
（付記４９）  付記４８に記載のディスプレイの駆動方法において、前記折れ線近似する直線の傾きは、１、１／２、１／３、１／４から選ばれることを特徴とするディスプレイの駆動方法。
【０１６９】
（付記５０）  付記４７記載のディスプレイの駆動方法において、さらに、
前記係数（ｎ−１）／（ｍ−１）を乗算して圧縮され、且つ、誤差拡散処理されて出力される前記出力画像信号を伸張するために、重みを（ｍ−１）／（ｎ−１）倍することを特徴とするディスプレイの駆動方法。
【０１７０】
（付記５１）  付記２７〜５０のいずれか１項に記載のディスプレイの駆動方法において、
前記画像信号は、赤色、青色および緑色のＲＧＢ信号であり、且つ、
前記メインパス、前記サブパス、前記スイッチ回路、前記パス切り替え制御部、前記ゲイン制御回路、前記サブゲイン制御回路、および、前記誤差拡散回路は、前記ＲＧＢ信号のそれぞれに対して設けられていることを特徴とするディスプレイの駆動方法。
【０１７１】
（付記５２）  付記２７〜５１のいずれか１項に記載のディスプレイの駆動方法において、前記ディスプレイ装置は、プラズマディスプレイ装置であることを特徴とするディスプレイの駆動方法。
【０１７２】
【発明の効果】
以上、説明したように、本発明によれば、大きなコスト増を招くことなく、動画疑似輪郭を有効に除去することのできるディスプレイ装置およびディスプレイの駆動方法を提供することができる。
【図面の簡単な説明】
【図１】プラズマディスプレイ装置の一例を概略的に示すブロック図である。
【図２】従来のプラズマディスプレイ装置における階調駆動シーケンスの一例を示す図である。
【図３】従来のプラズマディスプレイ装置における画像処理回路の一例を示すブロック図である。
【図４】プラズマディスプレイ装置における階調駆動シーケンスの他の例を示す図である。
【図５】メインパスにおける各輝度レベルの点灯サブフィールド期間の配置の一例を示す図である。
【図６】サブパスにおける各輝度レベルの点灯サブフィールド期間の配置の一例を示す図である。
【図７】図３の画像処理回路における画像特徴判定部の一例を示すブロック図である。
【図８】本発明に係るプラズマディスプレイ装置の画像処理回路の一例を示すブロック図である。
【図９】本発明に係るプラズマディスプレイ装置に適用されるサブフィールド点灯表の一例を示す図（その１）である。
【図１０】本発明に係るプラズマディスプレイ装置に適用されるサブフィールド点灯表の一例を示す図（その２）である。
【図１１】本発明に係るプラズマディスプレイ装置に適用されるサブフィールド点灯表の一例を示す図（その３）である。
【図１２】本発明に係るプラズマディスプレイ装置に適用されるサブフィールド点灯表の一例を示す図（その４）である。
【図１３】本発明に係るプラズマディスプレイ装置に適用されるサブパスにおけるサブフィールド点灯表の一例を示す図である。
【図１４】本発明に係るプラズマディスプレイ装置に適用されるサブフィールド点灯表の他の例を示す図（その１）である。
【図１５】本発明に係るプラズマディスプレイ装置に適用されるサブフィールド点灯表の他の例を示す図（その２）である。
【図１６】本発明に係るプラズマディスプレイ装置に適用されるサブフィールド点灯表の他の例を示す図（その３）である。
【図１７】本発明に係るプラズマディスプレイ装置に適用されるサブフィールド点灯表の他の例を示す図（その４）である。
【図１８】本発明に係るプラズマディスプレイ装置に適用されるサブパスにおけるサブフィールド点灯表の他の例を示す図である。
【図１９】本発明に係るプラズマディスプレイ装置の第１実施例におけるサブゲイン制御回路を概略的に示すブロック図である。
【図２０】図１９に示すサブゲイン制御回路を説明するための図である。
【図２１】図１９に示すサブゲイン制御回路の動作を説明するための図（その１）である。
【図２２】図１９に示すサブゲイン制御回路の動作を説明するための図（その２）である。
【図２３】図１９に示すサブゲイン制御回路の動作を説明するための図（その３）である。
【図２４】図１９に示すサブゲイン制御回路の動作を説明するための図（その４）である。
【図２５】図１９に示すサブゲイン制御回路の動作を説明するための図（その５）である。
【図２６】図１９に示すサブゲイン制御回路の動作を説明するための図（その６）である。
【図２７】本発明に係るプラズマディスプレイ装置の第２実施例におけるサブゲイン制御回路を概略的に示すブロック図である。
【図２８】図２７に示すサブゲイン制御回路を説明するための図である。
【図２９】図２７に示すサブゲイン制御回路の動作を説明するための図（その１）である。
【図３０】図２７に示すサブゲイン制御回路の動作を説明するための図（その２）である。
【図３１】図２７に示すサブゲイン制御回路の動作を説明するための図（その３）である。
【図３２】図２７に示すサブゲイン制御回路の動作を説明するための図（その４）である。
【図３３】図２７に示すサブゲイン制御回路の動作を説明するための図（その５）である。
【図３４】本発明に係るプラズマディスプレイ装置の第３実施例におけるサブゲイン制御回路を概略的に示すブロック図である。
【図３５】図３４に示すサブゲイン制御回路を説明するための図である。
【図３６】図３４に示すサブゲイン制御回路の動作を説明するための図（その１）である。
【図３７】図３４に示すサブゲイン制御回路の動作を説明するための図（その２）である。
【図３８】図３４に示すサブゲイン制御回路の動作を説明するための図（その３）である。
【図３９】図３４に示すサブゲイン制御回路の動作を説明するための図（その４）である。
【図４０】図３４に示すサブゲイン制御回路の動作を説明するための図（その５）である。
【図４１】図３４に示すサブゲイン制御回路の動作を説明するための図（その６）である。
【図４２】図３４に示すサブゲイン制御回路の動作を説明するための図（その７）である。
【図４３】本発明に係るプラズマディスプレイ装置の第４実施例におけるサブゲイン制御回路を概略的に示すブロック図である。
【図４４】図４３に示すサブゲイン制御回路を説明するための図である。
【図４５】図４３に示すサブゲイン制御回路の動作を説明するための図（その１）である。
【図４６】図４３に示すサブゲイン制御回路の動作を説明するための図（その２）である。
【図４７】図４３に示すサブゲイン制御回路の動作を説明するための図（その３）である。
【図４８】図４３に示すサブゲイン制御回路の動作を説明するための図（その４）である。
【図４９】図４３に示すサブゲイン制御回路の動作を説明するための図（その５）である。
【図５０】プラズマディスプレイ装置において、サブゲイン制御回路を使用する場合と使用しない場合の構成を比較して示す要部のブロック図である。
【図５１】本発明に係るプラズマディスプレイ装置において、サブゲイン制御回路を使用することによる効果を説明するための図（その１）である。
【図５２】本発明に係るプラズマディスプレイ装置において、サブゲイン制御回路を使用することによる効果を説明するための図（その２）である。
【図５３】本発明に係るプラズマディスプレイ装置において、サブゲイン制御回路を使用することによる効果を説明するための図（その３）である。
【図５４】本発明に係るプラズマディスプレイ装置において、サブゲイン制御回路を使用することによる効果を説明するための図（その４）である。
【図５５】本発明に係るプラズマディスプレイ装置において、サブゲイン制御回路を使用することによる効果を説明するための図（その５）である。
【図５６】本発明に係るプラズマディスプレイ装置において、サブゲイン制御回路を使用することによる効果を説明するための図（その６）である。
【図５７】本発明に係るプラズマディスプレイ装置において、サブゲイン制御回路を使用することによる効果を説明するための図（その７）である。
【図５８】本発明に係るプラズマディスプレイ装置において、サブゲイン制御回路を使用することによる効果を説明するための図（その８）である。
【図５９】本発明に係るプラズマディスプレイ装置において、サブゲイン制御回路を使用することによる効果を説明するための図（その９）である。
【図６０】本発明に係るプラズマディスプレイ装置において、サブゲイン制御回路を使用することによる効果を説明するための図（その１０）である。
【符号の説明】
１…画像処理回路
２…点灯時刻制御回路
３…ＰＤＰ駆動回路
４…ＰＤＰ（プラズマディスプレイパネル）
１１…メインパス
１２…サブパス
１３…スイッチ回路
１４…画像特徴判定部
３１…フィールドメモリ
３２…メモリコントローラ
３３…サブフィールド重みテーブル
３４…サステイン数設定回路
３５…コントローラ
３６…スキャンドライバ
３７…サステインドライバ
３８…アドレスドライバ
１１１…ゲイン制御回路
１１２，１２３…誤差拡散回路
１１３…サブゲイン制御回路
１２１…歪み補正回路
１２２…ゲイン制御回路
１２４…データ整合回路
１４１…ＲＧＢマトリクス回路
１４２…エッジ検出回路
１４３…動き領域検出回路
１４４…第１の判定回路
１４５…レベル検出回路
１４６…第２の判定回路
【図１】
2005024690.tif 000006
【図２】
2005024690.tif 000007
【図３】
2005024690.tif 000008
【図４】
2005024690.tif 000009
【図５】
2005024690.tif 000010
【図６】
2005024690.tif 000011
【図７】
2005024690.tif 000012
【図８】
2005024690.tif 000013
【図９】
2005024690.tif 000014
【図１０】
2005024690.tif 000015
【図１１】
2005024690.tif 000016
【図１２】
2005024690.tif 000017
【図１３】
2005024690.tif 000018
【図１４】
2005024690.tif 000019
【図１５】
2005024690.tif 000020
【図１６】
2005024690.tif 000021
【図１７】
2005024690.tif 000022
【図１８】
2005024690.tif 000023
【図１９】
2005024690.tif 000024
【図２０】
2005024690.tif 000025
【図２１】
2005024690.tif 000026
【図２２】
2005024690.tif 000027
【図２３】
2005024690.tif 000028
【図２４】
2005024690.tif 000029
【図２５】
2005024690.tif 000030
【図２６】
2005024690.tif 000031
【図２７】
2005024690.tif 000032
【図２８】
2005024690.tif 000033
【図２９】
2005024690.tif 000034
【図３０】
2005024690.tif 000035
【図３１】
2005024690.tif 000036
【図３２】
2005024690.tif 000037
【図３３】
2005024690.tif 000038
【図３４】
2005024690.tif 000039
【図３５】
2005024690.tif 000040
【図３６】
2005024690.tif 000041
【図３７】
2005024690.tif 000042
【図３８】
2005024690.tif 000043
【図３９】
2005024690.tif 000044
【図４０】
2005024690.tif 000045
【図４１】
2005024690.tif 000046
【図４２】
2005024690.tif 000047
【図４３】
2005024690.tif 000048
【図４４】
2005024690.tif 000049
【図４５】
2005024690.tif 000050
【図４６】
2005024690.tif 000051
【図４７】
2005024690.tif 000052
【図４８】
2005024690.tif 000053
【図４９】
2005024690.tif 000054
【図５０】
2005024690.tif 000055
【図５１】
2005024690.tif 000056
【図５２】
2005024690.tif 000057
【図５３】
2005024690.tif 000058
【図５４】
2005024690.tif 000059
【図５５】
2005024690.tif 000060
【図５６】
2005024690.tif 000061
【図５７】
2005024690.tif 000062
【図５８】
2005024690.tif 000063
【図５９】
2005024690.tif 000064
【図６０】
2005024690.tif 000065